(57)【要約】【課題】  ねじ等の締結部材との勘合を良好に行い、連続して締結部材を回転させることができて作業性のよいドライバーを提供する。【解決手段】  締結部材１１との係合部を有するドライバーピット２と、ドライバーピット２を支持する支持部３と、一端が支持部３に巻回され、他端に引部４ｃを有する弾性体４と、支持部３を回転可能に支持するとともに、弾性体４の引部４ｃの支持部３方向への移動を規制する筺体５とを備えるドライバー１。支持部３は、その中央部を挟んで両側にドライバーピット２との係合部を有するようにしてもよく、これによって、１本のドライバー１で締結部材１１の締付け、緩めを行うことができる。支持部３とドライバーピット２とを一体に形成することもできる。弾性体４として、全体が帯状に形成され、一端にコイルばね部４ａと、直線部４ｂを介して他端に引部４ｃを有するばねを用いることができる。【選択図】  図１
2005186196.tif 000002
【特許請求の範囲】
【請求項１】
締結部材との係合部を有するドライバーピットと、
該ドライバーピットを支持する支持部と、
一端が前記支持部に巻回され、他端に引部を有する弾性体と、
前記支持部を回転可能に支持するとともに、前記弾性体の引部の該支持部方向への移動を規制する筺体とを備えることを特徴とするドライバー。
【請求項２】
前記支持部は、その中央部を挟んで両側に前記ドライバーピットとの係合部を有することを特徴とする請求項１記載のドライバー。
【請求項３】
前記支持部と前記ドライバーピットとが一体であることを特徴とする請求項１または２記載のドライバー。
【請求項４】
前記弾性体は、全体が帯状に形成され、一端にコイルばね部と、直線部を介して他端に引部を有するばねであることを特徴とする請求項１、２または３記載のドライバー。
【発明の詳細な説明】
【技術分野】
【０００１】
本発明は、ドライバーに関し、特に、ねじ等を回転させるための隙間が狭い環境下でも、簡単にねじ等の締め付け及び取り外しを行うことのできるドライバーに関する。
【背景技術】
【０００２】
従来、作業スペースの関係で通常のドライバーを使用することができない場合には、ねじ等を回転させる部分とハンドルとの間をＬ字状に曲折させたドライバー等を使用していた。
【０００３】
また、図４（ａ）に示すように、フレーム４８内に機器４９を取り付ける際等において、ねじ４１を回転させようとする面４２ａに対して平行に延設された握り部４２ｂと、握り部４２ｂの端部にねじを回転させるための突起４２ｃを備え、ねじ４１の締め付けの際に矢印方向に回転させるドライバー４２や、図４（ｂ）に示すように、六角ねじ４３を回転させるため、端部に六角ねじ４３との係合部４４ａを有し、六角ねじ４３を回転させようとする面に対して平行に延設された握り部４４ｂを、六角ねじ４３の締め付けの際に矢印方向に回転させるスパナ４４等が提案されている（例えば、特許文献１）。
【０００４】
【特許文献１】実開平４−１１８９７８号公報
【発明の開示】
【発明が解決しようとする課題】
【０００５】
しかし、上記Ｌ字状に曲折させた従来のドライバーや、特許文献１に開示されているドライバー等では、ねじをねじ込む際に、ねじとの勘合を良好に行うことができなかったり、一定の角度しか一度にねじを回転させることができず、ねじを連続して回転させることができないため、作業性が悪化するという問題があった。
【０００６】
そこで、本発明は、上記従来のドライバーにおける問題点に鑑みてなされたものであって、ねじ等の締結部材との勘合を良好に行うことができ、連続して締結部材を回転させることができて作業性のよいドライバーを提供することを目的とする。
【課題を解決するための手段】
【０００７】
上記目的を達成するため、本発明は、ドライバーであって、締結部材との係合部を有するドライバーピットと、該ドライバーピットを支持する支持部と、一端が前記支持部に巻回され、他端に引部を有する弾性体と、前記支持部を回転可能に支持するとともに、前記弾性体の引部の該支持部方向への移動を規制する筺体とを備えることを特徴とする。
【０００８】
そして、本発明によれば、ドライバーピットに締結部材を係合させて弾性体の引部を引くことにより、該ドライバーピットが回転し、これに伴って締結部材が回転するため、締結部材を介して２つの部材等を締結することができる。この際、筐体内には、ドライバーピットの支持部と弾性体しか存在しないため、筐体を小さくまたは薄く形成することができ、締結部材を回転させるにあたって、弾性体の引部を引くだけの動作で済むため、締結部材を回転させるための隙間が狭い環境下でも、簡単に締結部材を締め付けることができる。
【０００９】
前記ドライバーにおいて、前記支持部を、その中央部を挟んで両側に前記ドライバーピットとの係合部を有するように形成することができる。これによって、支持部の片側に装着したドライバーピットによって締結部材を締め付け、他方の側にドライバーピットを付け替えて締結部材を緩めることが可能となる。
【００１０】
また、前記ドライバーにおいて、前記支持部と前記ドライバーピットとを一体に形成することができる。これによって、ドライバーピットを支持部に着脱する作業を省略することができる。
【００１１】
前記ドライバーにおいて、前記弾性体を、全体が帯状に形成され、一端にコイルばね部と、直線部を介して他端に引部を有するばねで形成することができる。
【発明の効果】
【００１２】
以上説明したように、本発明にかかるドライバーによれば、ねじ等の締結部材との勘合が良好で、連続して締結部材を回転させることができて作業性が向上する。
【発明を実施するための最良の形態】
【００１３】
図１は、本発明にかかるドライバーの一実施の形態を示し、このドライバー１は、大別して、ドライバーピット２と、ドライバーピット２を支持する軸３と、一端が軸３に巻回され、他端に引部４ｃを有する弾性体としてのばね４と、軸３を回転可能に支持するとともに、ばね４の引部４ｃの軸３方向への移動を規制する筺体５とを備える。
【００１４】
ドライバーピット２は、一端にねじ１１との係合部を有し、他端が角形状に形成され、この他端を軸３の角穴３ａに挿入することにより軸３によって支持可能に構成される。
【００１５】
ドライバーピット２の支持部としての軸３は、内側にドライバービット２の角形部と嵌合する角穴３ａが形成され、外側は円柱状に形成される。
【００１６】
弾性体としてのばね４は、帯状に形成され、一端に軸３に固定されたコイルばね部４ａを有し、直線ばね部４ｂを挟んで他端にリング状の引部４ｃを備え、コイルばね部４ａによって引部４ｃが軸３側へ付勢される。
【００１７】
筐体５は、軸３を支持する軸受部５ａと、ばね４の直線ばね部４ｂが挿通する穴部５ｂとを有し、ドライバー１の使用前の状態では、引部４ｃの軸３側への移動を規制している。
【００１８】
次に、上記構成を有するドライバー１の使用方法について、図２を参照しながら説明する。尚、本実施の形態においても、図４（ａ）に示した従来例と同様に、フレーム４８内に機器４９を取り付ける際を例にとって説明する。
【００１９】
図２（ａ）及び（ｂ）に示すように、ねじ１１をドライバーピット２の上に載置して、ねじ１１のねじ頭の溝と軸３の先端部とを係合させ、機器４９の下方の隙間から、ドライバーピット２を挿入する。そして、ねじ１１のねじ部を、機器４９側の図示しない雌ねじ部に螺合させ、図２（ｃ）に示すように引部４ｃを矢印方向に引くと、ドライバーピット２が回転し、これに伴ってねじ１１も回転し、ねじ１１が締め付けられる。尚、引部４ｃを最後まで引いてもねじ１１の締付けが完了しない場合には、ドライバービット２をねじ１１の係合から一旦解除すると、コイルばね部４ａの復元力により、軸３にコイルばね部４ａが巻戻され、再度ドライバービット２をねじ１１に係合させて引部４ｃを引くことでドライバービット２をさらに回転させることもできる。
【００２０】
次に、ねじ１１を取り外す場合のドライバー１の使用方法について、図３を参照しながら説明する。
【００２１】
図３（ａ）に示すように、ねじ１１を締め付ける際に軸３の角穴３ａのＡ面側に勘合させたドライバービット２を、図３（ｂ）及び図３（ｃ）に示すように、軸３の角穴３ａのＢ面側に嵌合させる。この状態で引部４ｃを引けば、ドライバービット２が逆回転し、ねじ１１を取外すことができる。
【００２２】
尚、上記実施の形態においては、ドライバービット２と軸３は別々に構成されていたが、ドライバー１を使用する際の隙間さえ許せば、これらを一体化し、角穴３ａのＡＢ面の両方にドライバービット２を設けることにより、ねじの着脱の際にドライバービット２の付替えを不要にすることができる。
【００２３】
また、上記実施の形態においては、締結部材としてのねじをドライバー１を用いて締め付け、または緩める場合について説明したが、通常のねじに限らず、六角ねじ等ドライバービット２に係合させることができれば、他の締結部材を締め付けること等が可能である。また、弾性体としてコイルばね部４ａを有するばね４を使用する場合について説明したが、軸３を回転させることができ、ドライバー１の使用前の状態で、引部４ｃを軸３側へ移動することを規制することができれば、このばね４に限らず、他の種類のばねまたは弾性体を用いることもできる。
【図面の簡単な説明】
【００２４】
【図１】本発明にかかるドライバーの一実施の形態を示す図であって、（ａ）は上面図、（ｂ）は正面図、（ｃ）は下面図である。
【図２】本発明にかかるドライバーの使用方法を説明するための図であって、（ａ）は斜視図、（ｂ）及び（ｃ）は一部破断側面図である。
【図３】本発明にかかるドライバーによってねじを取り外す要領を説明するための図であって、（ａ）は上面図、（ｂ）は正面図、（ｃ）は下面図である。
【図４】従来のドライバーの一例を説明するための斜視図であって、（ａ）はねじを、（ｂ）は六角ねじを締め付ける場合を示す図である。
【符号の説明】
【００２５】
１      ドライバー
２      ドライバーピット
３      軸
３ａ    角穴
４      ばね
４ａ    コイルばね部
４ｂ    直線ばね部
４ｃ    引部
５      筐体
５ａ    軸受部
５ｂ    穴部
１１    ねじ
４１    ねじ
４２    ドライバー
４２ａ  ねじを回転させようとする面
４２ｂ  握り部
４２ｃ  突起
４３    六角ねじ
４４    スパナ
４４ａ  係合部
４４ｂ  握り部
４８    フレーム
４９    機器
【図１】
2005186196.tif 000003
【図２】
2005186196.tif 000004
【図３】
2005186196.tif 000005
【図４】
2005186196.tif 000006